Podtech/llm-jp-corpus-v4-ja_patent huggingface dataset:
【手続補正書】
【提出日】平成31年3月6日(2019.3.6)
【手続補正１】
【補正対象書類名】明細書
【補正対象項目名】０００８
【補正方法】変更
【補正の内容】
【０００８】
本発明の鍵盤装置は、複数の鍵それぞれに対応するようにして複数設けられ、押鍵された鍵に連動して回転することにより、前記鍵にアクション荷重を付与する複数のハンマー部材と、前記複数のハンマー部材がそれぞれ回転した際に、各ハンマー部材が当接することで前記複数の鍵それぞれに鍵荷重を付与する１つの鍵荷重付与部材と、を備え、前記１つの鍵荷重付与部材は、第１の鍵が当接する第１部分と、前記第１の鍵とは異なる位置にある第２の鍵が当接する第２部分とで、厚み、弾性の度合い、粘性の度合いのうちの少なくとも１つが異なることを特徴としている。
【手続補正２】
【補正対象書類名】特許請求の範囲
【補正対象項目名】全文
【補正方法】変更
【補正の内容】
【特許請求の範囲】
【請求項１】
複数の鍵それぞれに対応するようにして複数設けられ、押鍵された鍵に連動して回転することにより、前記鍵にアクション荷重を付与する複数のハンマー部材と、
前記複数のハンマー部材がそれぞれ回転した際に、各ハンマー部材が当接することで前記複数の鍵それぞれに鍵荷重を付与する１つの鍵荷重付与部材と、
を備え、
前記１つの鍵荷重付与部材は、第１の鍵が当接する第１部分と、前記第１の鍵とは異なる位置にある第２の鍵が当接する第２部分とで、厚み、弾性の度合い、粘性の度合いのうちの少なくとも１つが異なる鍵盤装置。
【請求項２】
請求項１に記載の鍵盤装置において、前記鍵荷重付与部材は、前記複数の鍵の配列方向に沿って、厚み、弾性の度合い、粘性の度合いのうちの少なくとも１つが連続して変化する鍵盤装置。
【請求項３】
請求項２に記載の鍵盤装置において、前記鍵荷重付与部材は、高音域から低音域に向かうに従って次第に厚みが大きくなっていることを特徴とする鍵盤装置。
【請求項４】
請求項１乃至３のいずれか一項に記載の鍵盤装置において、前記鍵荷重付与部材は、前記ハンマー部材が当接した際に変形する変形量と前記ハンマー部材が当接した際に前記鍵に付与する鍵荷重のうちの少なくとも１つが、高音域の鍵に対応する部分と低音域の鍵に対応する部分とで異なり、高音域から低音域に向かうに従って次第に前記変形量が大きくなっている鍵盤装置。
【請求項５】
請求項１乃至４のいずれか一項に記載の鍵盤装置において、前記鍵荷重付与部材は、材質の異なる複数の部材が、前記ハンマー部材が当接した際に変形する方向に積層されるとともに、弾性の異なる複数の部材が積層されており、前記複数の部材のうちの少なくとも１つは、前記複数の鍵の配列方向に沿って厚みが連続して変化している鍵盤装置。
【請求項６】
請求項１乃至５のいずれか一項に記載の鍵盤装置において、前記鍵荷重付与部材は、材質の異なる複数の部材が、前記ハンマー部材が当接した際に変形する方向に積層されており、前記ハンマー部材の当接による衝撃音を消音するための部材からなる消音層と、前記ハンマー部材の当接による衝撃を受け止めるための部材からなる耐衝撃層と、前記ハンマー部材の当接による力を弾力的に吸収するための部材からなるベース層のうちの少なくとも２つを含み、前記耐衝撃層は、衝撃力に強い部材であり、前記ベース層は、前記耐衝撃層よりも柔らかくて厚い部材であり、前記耐衝撃層が前記ハンマー部材の当接による衝撃を受け止めた際の前記耐衝撃層の弾性変形を前記ベース層が弾力的に吸収する鍵盤装置。
【請求項７】
請求項１乃至６のいずれか一項に記載の鍵盤装置において、前記鍵荷重付与部材は、ゲルまたは粘性を有する流動体を含む鍵盤装置。
【請求項８】
請求項１乃至７のいずれか一項に記載の鍵盤装置を備えていることを特徴とする鍵盤楽器。
【手続補正書】
【提出日】平成31年2月3日(2019.2.3)
【手続補正１】
【補正対象書類名】特許請求の範囲
【補正対象項目名】全文
【補正方法】変更
【補正の内容】
【特許請求の範囲】
【請求項１】
利用者の１又は複数の荷物を店舗にて預かるための店舗装置を用いた方法であって、
前記利用者の予約内容を前記店舗装置の表示画面に表示するステップと、
前記予約内容に沿って前記利用者の１又は複数の荷物の写真をそれぞれ撮影するステップと、
撮影された前記１又は複数の荷物のそれぞれの写真又はこれに対応する１又は複数の写真を送信するステップと
を含み、
前記利用者が利用者端末に表示させた前記１又は複数の荷物のそれぞれの写真又はこれに対応する１又は複数の写真と前記店舗端末にて表示可能な１又は複数の写真との照合結果に基づいて、各荷物の返却可否を判断することを特徴とすることを特徴とする方法。
【請求項２】
前記店舗装置は、携帯端末であることを特徴とする請求項１に記載の方法。
【請求項３】
撮影された前記１又は複数の荷物の写真又はこれに対応する１又は複数の写真が前記店舗装置で表示可能とされることを特徴とする請求項１又は２に記載の方法。
【請求項４】
撮影された前記１又は複数の荷物の写真又はこれに対応する１又は複数の写真の少なくとも一部が前記店舗装置で前記利用者の顔写真又はプロフィール写真とともに表示されることを特徴とする請求項３に記載の方法。
【請求項５】
前記１又は複数の荷物のそれぞれの写真又はこれに対応する１又は複数の写真には識別記号が付加されることを特徴とする請求項１から４のいずれかに記載の方法。
【手続補正書】
【提出日】平成30年11月27日(2018.11.27)
【手続補正１】
【補正対象書類名】特許請求の範囲
【補正対象項目名】全文
【補正方法】変更
【補正の内容】
【特許請求の範囲】
【請求項１】
アリピプラゾールと、軽質無水ケイ酸と、ヒドロキシプロピルセルロースとを含有する錠剤であることを特徴とするアリピプラゾール医薬品製剤。
【請求項２】
錠剤が口腔内速崩壊錠である請求項１に記載のアリピプラゾール医薬品製剤。
【手続補正２】
【補正対象書類名】明細書
【補正対象項目名】０００７
【補正方法】変更
【補正の内容】
【０００７】  上記課題を解決するために種々検討を加えた結果、軽質無水ケイ酸を用いたアリピプラゾール医薬品製剤が、上記の課題を解決した良好な医薬品製剤を提供することができることを見出した。すなわち、軽質無水ケイ酸を含有することを特徴とするアリピプラゾール医薬品製剤とすることにより、原薬が溶けた際のべたつきによる凝集を防止すること等ができることを見出した。また、さらにヒドロキシプロピルセルロースを含有することにより、上記の課題を解決したより良好なアリピプラゾール医薬品製剤を提供することができることを見出した。本発明はかかる知見に基づいて開発されたものである。すなわち、本発明は下記に掲げるアリピプラゾール医薬品製剤である。
（１）アリピプラゾールと、軽質無水ケイ酸と、ヒドロキシプロピルセルロースとを含有する錠剤であることを特徴とするアリピプラゾール医薬品製剤。
（２）錠剤が口腔内速崩壊錠である（１）に記載のアリピプラゾール医薬品製剤。
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
式（Ｇ１）で表される複素環化合物。
【化１】
2016204366.tif 000001
（式（Ｇ１）中、環ＡにおけるＹ１〜Ｙ４のいずれか１乃至３はＮを表し、それ以外はＣＨを表す。なお、前記Ｙ１〜Ｙ４のいずれか２または３がＮの場合のＮ同士は、隣り合わないこととする。Ａｒ１は、置換もしくは無置換のビフェニルジイル基を表し、Ａｒ２は、置換もしくは無置換のビフェニルジイル基を表す。Ｃｚ１は、カルバゾール骨格を含む置換もしくは無置換の複素環基を表し、Ｃｚ２は、カルバゾール骨格を含む置換もしくは無置換の複素環基を表し、前記Ｃｚ１が含むカルバゾール骨格は、前記Ａｒ１に直接結合し、前記Ｃｚ２が含むカルバゾール骨格は、前記Ａｒ２に直接結合する。）
【請求項２】
請求項１において、
前記式（Ｇ１）中の前記Ａｒ１は、置換もしくは無置換のビフェニル−３，３’−ジイル基を表し、前記Ａｒ２は、置換もしくは無置換のビフェニル−３，３’−ジイル基を表す複素環化合物。
【請求項３】
請求項１または請求項２において、
前記式（Ｇ１）中の前記Ｃｚ１が含むカルバゾール骨格のＮは、前記Ａｒ１に直接結合し、前記Ｃｚ２が含むカルバゾール骨格のＮは、前記Ａｒ２に直接結合する複素環化合物。
【請求項４】
請求項１または請求項２において、
前記式（Ｇ１）中の前記Ｃｚ１は、置換または無置換のカルバゾリル基を表し、前記Ｃｚ２は、置換または無置換のカルバゾリル基を表す複素環化合物。
【請求項５】
請求項３において、
前記カルバゾリル基の少なくとも一は、Ｎ−カルバゾリル基である複素環化合物。
【請求項６】
請求項１乃至請求項５のいずれか一において、
前記複素環基の少なくとも一は、下記式（α）で表される複素環化合物。
【化２】
2016204366.tif 000002
（式（α）中、Ｒ４１〜Ｒ４８は、それぞれ独立に、水素、炭素数１〜６のアルキル基、炭素数１〜６のアルコキシ基、ヒドロキシル基、スルファニル基、炭素数６〜１２のアリールアミノ基、ビニル基、または炭素数６〜１２のアリール基のいずれか一を表す。前記Ｒ４１〜Ｒ４８のいずれか隣り合う置換基同士が互いに結合して環を形成しても良い。）
【請求項７】
式（１００）または式（２００）で表される複素環化合物。
【化３】
2016204366.tif 000003
【化４】
2016204366.tif 000004
【請求項８】
請求項１乃至請求項７のいずれか一に記載の複素環化合物を用いた発光素子。
【請求項９】
一対の電極間に発光層を有し、
前記発光層は、請求項１乃至請求項７のいずれか一に記載の複素環化合物を有する発光素子。
【請求項１０】
一対の電極間に発光層を有し、
前記発光層は、３種以上の有機化合物を有し、
前記３種以上の有機化合物のうちの一は、
請求項１乃至請求項７のいずれか一に記載の複素環化合物である発光素子。
【請求項１１】
請求項８乃至請求項１０のいずれか一に記載の発光素子と、
トランジスタ、または基板のいずれか一と、
を有する発光装置。
【請求項１２】
請求項１１に記載の発光装置と、
マイク、カメラ、操作用ボタン、外部接続部、または、スピーカのいずれか一と、
を有する電子機器。
【請求項１３】
請求項８乃至請求項１０のいずれか一に記載の発光素子と、
トランジスタ、基板、または封止基板のいずれか一と、
を有する照明装置。
【手続補正書】
【提出日】平成30年12月14日(2018.12.14)
【手続補正１】
【補正対象書類名】明細書
【補正対象項目名】発明の名称
【補正方法】変更
【補正の内容】
【発明の名称】有機化合物、発光装置及び電子機器
【手続補正２】
【補正対象書類名】特許請求の範囲
【補正対象項目名】全文
【補正方法】変更
【補正の内容】
【特許請求の範囲】
【請求項１】
下記一般式（Ｇ１）で表される有機化合物。
【化１】
2016124869.tif 000001
（但し、一般式（Ｇ１）中、Ａｒ１及びＡｒ２はフェニレン基を表し、ｎ及びｍはそれぞれ独立に０又は１を表す。Ｒ１乃至Ｒ３はそれぞれ独立に水素、炭素数６乃至１６のアリール基のいずれかを表し、少なくとも一つは炭素数１０乃至１６の縮環構造を有するアリール基である。Ｒ４乃至Ｒ９はそれぞれ独立に水素、炭素数１乃至６のアルキル基及び炭素数６乃至１０のアリール基のいずれかを表す。）
【請求項２】
下記一般式（Ｇ２）で表される有機化合物。
【化２】
2016124869.tif 000002
（但し、一般式（Ｇ２）中、Ａｒ１及びＡｒ２はフェニレン基を表し、ｎ及びｍはそれぞれ独立に０又は１を表す。Ｒ３乃至Ｒ９はそれぞれ独立に水素、炭素数１乃至６のアルキル基及び炭素数６乃至１０のアリール基のいずれかを表す。）
【請求項３】
請求項１又は請求項２において、Ｒ３が水素である有機化合物。
【請求項４】
請求項１乃至請求項３のいずれか一項において、ｍ及びｎが０である有機化合物。
【請求項５】
請求項１乃至請求項３のいずれか一項において、ｍ及びｎが１である有機化合物。
【請求項６】
請求項１乃至請求項５のいずれか一項において、Ｒ４及びＲ５がフェニル基である有機化合物。
【請求項７】
請求項１乃至請求項６のいずれか一項において、Ｒ６乃至Ｒ９が水素である有機化合物。
【請求項８】
下記構造式（１００）で表される有機化合物。
【化４】
2016124869.tif 000003
【請求項９】
下記構造式（２００）で表される有機化合物。
【化５】
2016124869.tif 000004
【請求項１０】
請求項１乃至請求項９のいずれか一項に記載の有機化合物を含む発光装置。
【請求項１１】
請求項１乃至請求項９のいずれか一項に記載の有機化合物を含むタンデム型発光装置。
【請求項１２】
一対の電極間にＥＬ層を有し、
前記ＥＬ層は、少なくともアルカリ金属又はアルカリ土類金属を含む層と、
前記アルカリ金属又はアルカリ土類金属を含む層に接する請求項１乃至請求項９のいずれか一項に記載の有機化合物を含む層とを有する発光装置。
【請求項１３】
一対の電極間にＥＬ層を有し、
前記ＥＬ層は、少なくともアルカリ金属又はアルカリ土類金属と、請求項１乃至請求項９のいずれか一項に記載の有機化合物とを含む層を有する発光装置。
【請求項１４】
請求項１０乃至請求項１３のいずれか一項に記載の発光装置を有する電子機器。
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
表面シートと裏面シートと、該表面シートと該裏面シートとの間に吸収体を備えた生理用ナプキンであって、
前記吸収体は、吸収性コアと該吸収性コアを被覆するコアラップシートと備え、
前記吸収性コアは、長手方向に相互に対向する前方コア部及び後方コア部と、前記前方コア部及び前記後方コア部の間に位置し前記前方コア部及び前記後方コア部よりも幅の狭い中間コア部と、を有し、
前記中間コア部は、
前記前方コア部及び前記後方コア部より高い坪量を有し、幅方向中央に形成された高坪量部と、
前記前方コア部及び前記後方コア部より低い坪量を有し、前記高坪量部の周囲に形成された低坪量部と、を含み、
前記裏面シートの外表面に設けられた本体粘着部と、
前記中間コア部と前記長手方向に関して重なるよう配された、前記中間コア部から幅方向外方へ延出する一対のウイング部と、をさらに具備する
生理用ナプキン。
【請求項２】
請求項１に記載の生理用ナプキンであって、
前記高坪量部の前記長手方向端部は、先端に向かって幅が漸減する形状を有する
生理用ナプキン。
【請求項３】
請求項１又は２に記載の生理用ナプキンであって、
前記高坪量部は、前記長手方向に沿って前記中間コア部の長さ以下の長さを有し、
前記低坪量部は、前記高坪量部の周囲を囲んで形成される
生理用ナプキン。
【請求項４】
請求項１から３のうちいずれか一項に記載の生理用ナプキンであって、
前記前方コア部及び前記後方コア部の少なくとも一方は、前記中間コア部との間の境界部に隣接して形成され前記中間コア部に向かって幅が漸減するテーパ部を有する
生理用ナプキン。
【請求項５】
請求項１から４のうちいずれか一項に記載の生理用ナプキンであって、
前記吸収性コアは、
前記低坪量部より低い坪量を有し、前記前方コア部及び前記後方コア部の少なくとも一方と前記中間コア部との間に位置する境界溝部をさらに有する
生理用ナプキン。
【請求項６】
請求項１から５のうちいずれか一項に記載の生理用ナプキンであって、
前記吸収性コア上に配置された表面シートと、
前記表面シート及び前記吸収性コアに形成され、前記長手方向に延びて前記幅方向に相互に対向する一対の圧搾溝部と
をさらに具備し、
前記一対の圧搾溝部は、
前記幅方向内方に向かって相互に近接し、前記前方コア部及び前記後方コア部の少なくとも一方と前記中間コア部との間の境界部を含む境界領域に形成された少なくとも一対の括れ部を有する
生理用ナプキン。
【手続補正２】
【補正対象書類名】明細書
【補正対象項目名】発明の名称
【補正方法】変更
【補正の内容】
【発明の名称】生理用ナプキン
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
長手方向の両端部側に位置する前方コア部及び後方コア部と、前記長手方向中間部に、一対の括れ領域の間に形成された、前記前方コア部及び後方コア部よりも幅狭の中間コア部とを有し、前記中間コア部が、幅方向中央に形成された高坪量部と、前記高坪量部より低い坪量を有し前記高坪量部の周囲に形成された低坪量部とを含む、吸収性コアと、
前記吸収性コアを被覆するコア被覆部と、前記一対の括れ領域を被覆する一対の括れ被覆部とを有するコアラップシートと
を有する吸収体と、
裏面シートと、
前記裏面シートの外表面に形成された本体粘着部と、を具備し、
前記本体粘着部は、前記中間コア部の幅以下の幅で配置され、前記括れ被覆部には配されておらず、前記裏面シートを挟んで前記吸収性コアと厚み方向に対向する位置に形成されており、
前記中間コア部から前記幅方向外方へ延出する一対のウイング部が、前記中間コア部と前記長手方向に関して重なるよう配された、
生理用ナプキン。
【請求項２】
請求項１に記載の生理用ナプキンであって、
前記一対の括れ被覆部は、
前記吸収性コアの厚み方向に相互に接合されることなく対向する表側領域と裏側領域とを含む
生理用ナプキン。
【請求項３】
請求項１または２に記載の生理用ナプキンであって、
前記中間コア部は、前記低坪量部より低い坪量を有し前記高坪量部の周囲に形成された周縁溝部をさらに有する
生理用ナプキン。
【請求項４】
請求項１から３のうちいずれか一項に記載の生理用ナプキンであって、
前記低坪量部は、
前記高坪量部の前記幅方向外方に位置する側端部と、
前記側端部より高い密度を有し、前記側端部と前記高坪量部との間に位置する高密度部と、を含む
生理用ナプキン。
【請求項５】
請求項４に記載の生理用ナプキンであって、
前記コアラップシート上に配置された表面シートと、
前記表面シート、前記コアラップシート及び前記吸収性コアに形成された圧搾溝と
をさらに具備し、
前記高密度部は、前記圧搾溝の形成位置に設けられる
生理用ナプキン。
【請求項６】
請求項１から５のうちいずれか一項に記載の生理用ナプキンであって、
前記一対の括れ被覆部各々の外縁線は、前記一対の括れ領域各々において前記前方コア部及び前記後方コア部の外縁部どうしを結ぶ仮想線と、前記中間コア部の外縁部に相当する外縁線とを結ぶ前記幅方向に平行な線分の二等分線よりも、前記幅方向の外方にそれぞれ位置する
生理用ナプキン。
【請求項７】
請求項１から６のうちいずれか一項に記載の生理用ナプキンであって、
前記高坪量部は、少なくとも前記中間コア部の全長にわたって形成される
生理用ナプキン。
【請求項８】
請求項７に記載の生理用ナプキンあって、
前記高坪量部の前記長手方向端部は、先端に向かって幅が漸減する形状を有する
生理用ナプキン。
【手続補正２】
【補正対象書類名】明細書
【補正対象項目名】発明の名称
【補正方法】変更
【補正の内容】
【発明の名称】生理用ナプキン
【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
休息中のユーザーの高い快適さを保証するようにマットレスに横たわるユーザーの体の体温調節及び発散を確保するのに適したマットレス（１０）であって、該マットレスは、ユーザーの体の支持機能を有する内側部分（１２）と、該内側部分の外側表面に配置されユーザーの体に接触するのに適応した被覆構造（１４）と、を備え、該被覆構造は、発散及び吸湿性特性を有する胞状構造を有する中間布地（１８）を含んでおり、
被覆構造（１４）は、水に浸透性でマットレスの表面から水を吸収し輸送するのに適した少なくとも一つのマイクロダクト（２２，２４）を含み、かつ、マットレスの最大長さ方向において被覆構造（１４）にて延在する少なくとも一つの長手方向のマイクロダクト（２２）を含む、
ことを特徴とするマットレス。
【請求項２】
中間布地（１８）の厚さは、２ｍｍを超える、請求項１に記載のマットレス。
【請求項３】
被覆構造（１４）は、内側部分（１２）と中間布地（１８）との間に置かれた絶縁布地（２０）を含み、該絶縁布地は水を通さない、請求項１又は２に記載のマットレス。
【請求項４】
絶縁布地（２０）は、通気性のものである、請求項１から３のいずれかに記載のマットレス。
【請求項５】
被覆構造（１４）は、カバー布地（１６）を含み、該カバー布地は、中間布地（１８）より上に位置し吸湿性を有する、請求項１から４のいずれかに記載のマットレス。
【請求項６】
被覆構造（１４）は、マットレスの最小長さの方向において被覆構造（１４）に延在する少なくとも一つの横方向のマイクロダクト（２４）を含む、請求項１から５のいずれかに記載のマットレス。
【請求項７】
少なくとも一つの横方向のマイクロダクト（２４）は、少なくとも一つの長手方向のマイクロダクト（２２）に直交する、請求項６に記載のマットレス。
【請求項８】
被覆構造（１４）は、毛織物を含む少なくとも一つの部分を備えた、請求項１から７のいずれかに記載のマットレス。
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
複数の識別情報を変動表示可能な変動表示手段と、前記変動表示手段の変動表示を停止させるために遊技者が押圧操作可能な停止操作手段と、を備え、複数の遊技状態のうちいずれかの遊技状態に制御されるように構成された遊技機において、
前記ゲームに対応して実行される演出の制御を実行可能な演出制御手段と、
前記演出として所定の表示情報を表示可能な表示手段と、
遊技者の操作を受け付け可能な操作手段と、
を備え、
前記遊技状態として、遊技者に対して前記停止操作手段への操作に関わる指示情報を報知することにより前記ゲームが遊技者にとって有利に実行される特定の遊技状態を有し、
前記操作手段は、
前記停止操作手段と所定間隔を設けて配設される第１操作手段と、
前記第１操作手段よりも前記停止操作手段との間隔を大きく設けて配設される第２操作手段と、を含み、
前記演出制御手段は、
前記特定遊技状態において、当該特定の遊技状態の延長に関する演出であって、前記操作手段の操作を伴う特定演出を実行可能であり、
前記ゲームの開始に対応して前記第２操作手段の操作を伴う前記特定演出を実行しないように制御可能であり、
前記ゲームの終了に対応して実行される前記特定演出において、前記延長の量に応じて、前記第１操作手段を操作させる割合よりも前記第２操作手段を操作させる割合が高くなるように制御可能である
ことを特徴とする遊技機。
【請求項２】
前記演出制御手段は、前記延長の量が所定量である場合には、前記ゲームの終了に対応して実行される前記特定演出において、前記第１操作手段を操作させないように制御可能である
ことを特徴とする請求項１に記載の遊技機。
【請求項３】
前記延長の量は、ゲーム数の大きさである
ことを特徴とする請求項１または請求項２に記載の遊技機。
【手続補正２】
【補正対象書類名】明細書
【補正対象項目名】０００５
【補正方法】変更
【補正の内容】
【０００５】
上記課題を解決するため、本発明の遊技機は、複数の識別情報を変動表示可能な変動表示手段と、前記変動表示手段の変動表示を停止させるために遊技者が押圧操作可能な停止操作手段と、を備え、複数の遊技状態のうちいずれかの遊技状態に制御されるように構成された遊技機において、前記ゲームに対応して実行される演出の制御を実行可能な演出制御手段と、前記演出として所定の表示情報を表示可能な表示手段と、遊技者の操作を受け付け可能な操作手段と、を備え、前記遊技状態として、遊技者に対して前記停止操作手段への操作に関わる指示情報を報知することにより前記ゲームが遊技者にとって有利に実行される特定の遊技状態を有し、前記操作手段は、前記停止操作手段と所定間隔を設けて配設される第１操作手段と、前記第１操作手段よりも前記停止操作手段との間隔を大きく設けて配設される第２操作手段と、を含み、前記演出制御手段は、前記特定遊技状態において、当該特定の遊技状態の延長に関する演出であって、前記操作手段の操作を伴う特定演出を実行可能であり、前記ゲームの開始に対応して前記第２操作手段の操作を伴う前記特定演出を実行しないように制御可能であり、前記ゲームの終了に対応して実行される前記特定演出において、前記延長の量に応じて、前記第１操作手段を操作させる割合よりも前記第２操作手段を操作させる割合が高くなるように制御可能であることを特徴とする構成にした。
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
複数の識別情報を変動表示可能な変動表示手段と、前記変動表示手段の変動表示を停止させるために遊技者が押圧操作可能な停止操作手段と、を備え、複数の遊技状態のうちいずれかの遊技状態に制御されるように構成された遊技機において、
前記ゲームに対応して実行される演出の制御を実行可能な演出制御手段と、
前記演出として所定の表示情報を表示領域に表示可能な表示手段と、
遊技者の操作を受け付け可能な操作手段と、
を備え、
前記遊技状態として、遊技者に対して前記停止操作手段への操作に関わる指示情報を報知することにより前記ゲームが遊技者にとって有利に実行される特定の遊技状態を有し、
前記操作手段は、前記停止操作手段よりも上方であって、前記表示手段の近傍に配設され、
前記演出制御手段は、
前記操作手段の操作を伴う操作演出として、前記ゲームの開始に対応して実行される第１操作演出と、前記ゲームの終了に対応して実行される第２操作演出と、を実行可能であるとともに、
前記特定の遊技状態において、前記第１操作演出よりも前記第２操作演出の実行割合が高くなるように制御可能であり、
前記表示手段の表示領域において、前記操作手段への操作を促す特定の操作画像を表示する場合の表示位置と、前記指示情報を表示する場合の表示位置は、少なくとも一部が重複し得る
ことを特徴とする遊技機。
【請求項２】
前記演出制御手段は、前記特定の遊技状態において、前記第１操作演出を実行しないように制御可能である
ことを特徴とする請求項１に記載の遊技機。
【請求項３】
前記指示情報は、遊技者によって前記停止操作手段が操作される前に前記表示手段に表示される
ことを特徴とする請求項１または請求項２に記載の遊技機。
【手続補正２】
【補正対象書類名】明細書
【補正対象項目名】０００５
【補正方法】変更
【補正の内容】
【０００５】
上記課題を解決するため、本発明の遊技機は、複数の識別情報を変動表示可能な変動表示手段と、前記変動表示手段の変動表示を停止させるために遊技者が押圧操作可能な停止操作手段と、を備え、複数の遊技状態のうちいずれかの遊技状態に制御されるように構成された遊技機において、前記ゲームに対応して実行される演出の制御を実行可能な演出制御手段と、前記演出として所定の表示情報を表示領域に表示可能な表示手段と、遊技者の操作を受け付け可能な操作手段と、を備え、前記遊技状態として、遊技者に対して前記停止操作手段への操作に関わる指示情報を報知することにより前記ゲームが遊技者にとって有利に実行される特定の遊技状態を有し、前記操作手段は、前記停止操作手段よりも上方であって、前記表示手段の近傍に配設され、前記演出制御手段は、前記操作手段の操作を伴う操作演出として、前記ゲームの開始に対応して実行される第１操作演出と、前記ゲームの終了に対応して実行される第２操作演出と、を実行可能であるとともに、前記特定の遊技状態において、前記第１操作演出よりも前記第２操作演出の実行割合が高くなるように制御可能であり、前記表示手段の表示領域において、前記操作手段への操作を促す操作画像を表示する場合の表示位置と、前記指示情報を表示する場合の表示位置は、少なくとも一部が重複し得ることを特徴とする構成にした。
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
遊技領域の外周の少なくとも一部を区画する区画部を有する区画部材と、前記区画部よりも外方に配設され、光を照射する照射部と、所定の装飾手段と、を備える遊技機であって、
前記照射部から照射される光の少なくとも一部は前記区画部よりも背面側を進行可能であって、前記遊技領域に配設される所定の入球領域へ入球した遊技球の通過経路に照射され、
前記装飾手段は、前記通過経路の正面側に配設され、前記照射部から照射される光であって正面側に進行する光が透過可能とされる透過部を備えることを特徴とする遊技機。
【手続補正２】
【補正対象書類名】明細書
【補正対象項目名】０００２
【補正方法】変更
【補正の内容】
【０００２】
パチンコ機等の遊技機において、正面視で遊技領域の内方に配置され遊技領域の背面側から光を照射する照射部を備え、その照射部により演出を行う遊技機がある（特許文献１）。
【手続補正３】
【補正対象書類名】明細書
【補正対象項目名】０００３
【補正方法】変更
【補正の内容】
【０００３】
【特許文献１】特開２０１２−０８１０３１号公報
【手続補正４】
【補正対象書類名】明細書
【補正対象項目名】０００４
【補正方法】変更
【補正の内容】
【０００４】
しかしながら、上述した従来の遊技機では、照射部から照射される光の見せ方に関して改良の余地があるという問題点があった。
【手続補正５】
【補正対象書類名】明細書
【補正対象項目名】０００５
【補正方法】変更
【補正の内容】
【０００５】
本発明は、上記例示した問題点を解決するためになされたものであり、照射部から照射される光の見せ方を改良できる遊技機を提供することを目的とする。
【手続補正６】
【補正対象書類名】明細書
【補正対象項目名】０００６
【補正方法】変更
【補正の内容】
【０００６】
この目的を達成するために請求項１記載の遊技機は、遊技領域の外周の少なくとも一部を区画する区画部を有する区画部材と、前記区画部よりも外方に配設され、光を照射する照射部と、所定の装飾手段と、を備える遊技機であって、前記照射部から照射される光の少なくとも一部は前記区画部よりも背面側を進行可能であって、前記遊技領域に配設される所定の入球領域へ入球した遊技球の通過経路に照射され、前記装飾手段は、前記通過経路の正面側に配設され、前記照射部から照射される光であって正面側に進行する光が透過可能とされる透過部を備える。
【手続補正７】
【補正対象書類名】明細書
【補正対象項目名】０００９
【補正方法】変更
【補正の内容】
【０００９】
請求項１記載の遊技機によれば、照射部から照射される光の見せ方を改良することができる。
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
所定の判別を実行する判別手段と、
その判別手段による判別結果を示すための識別情報を表示手段に動的表示させることが可能な動的表示手段と、
前記表示手段に特定の前記判別結果を示すための前記識別情報が停止表示された場合に特典を付与可能な特典付与手段と、
前記特典が付与され易い第１遊技状態と、その第１遊技状態よりも前記特典が付与され難い第２遊技状態と、を設定可能な遊技状態設定手段と、
演出を実行可能な演出実行手段と、
その演出実行手段により特定の演出が実行される特定期間を設定する特定期間設定手段と、を有した遊技機であって、
前記演出実行手段は、前記特定の演出の実行中に、前記第１遊技状態が設定されていることを示す示唆演出を実行可能なものであり、
前記示唆演出は、
前記特定期間が設定されている状態で、前記判別に基づいた判別遊技が行われている場合に実行され得るものであり、
前記特定期間が設定されていない状態、または、前記特定期間が設定されている状態で前記判別遊技が行われていない場合には、実行されないものであり、
前記遊技機は、前記特定期間が実行されている期間に特定の判別結果を示すための前記識別情報で停止表示される動的表示が開始された場合に、その動的表示における識別情報が停止表示されるまで特定期間を継続して設定した後に、特定期間を終了させることが可能な手段を有するものであることを特徴とする遊技機。
【請求項２】
前記表示手段は、液晶ディスプレイで構成されているものであることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、所定の判別を実行する判別手段と、その判別手段による判別結果を示すための識別情報を表示手段に動的表示させることが可能な動的表示手段と、前記表示手段に特定の前記判別結果を示すための前記識別情報が停止表示された場合に特典を付与可能な特典付与手段と、前記特典が付与され易い第１遊技状態と、その第１遊技状態よりも前記特典が付与され難い第２遊技状態と、を設定可能な遊技状態設定手段と、演出を実行可能な演出実行手段と、その演出実行手段により特定の演出が実行される特定期間を設定する特定期間設定手段と、を有し、前記演出実行手段は、前記特定の演出の実行中に、前記第１遊技状態が設定されていることを示す示唆演出を実行可能なものであり、前記示唆演出は、前記特定期間が設定されている状態で、前記判別に基づいた判別遊技が行われている場合に実行され得るものであり、前記特定期間が設定されていない状態、または、前記特定期間が設定されている状態で前記判別遊技が行われていない場合には、実行されないものであり、前記遊技機は、前記特定期間が実行されている期間に特定の判別結果を示すための前記識別情報で停止表示される動的表示が開始された場合に、その動的表示における識別情報が停止表示されるまで特定期間を継続して設定した後に、特定期間を終了させることが可能な手段を有するものである。
【手続補正３】
【補正対象書類名】明細書
【補正対象項目名】０００７
【補正方法】変更
【補正の内容】
【０００７】
請求項２記載の遊技機は、請求項１記載の遊技機において、前記表示手段は、液晶ディスプレイで構成されているものである。
【手続補正４】
【補正対象書類名】明細書
【補正対象項目名】００１１
【補正方法】変更
【補正の内容】
【００１１】
請求項１記載の遊技機によれば、所定の判別を実行する判別手段と、その判別手段による判別結果を示すための識別情報を表示手段に動的表示させることが可能な動的表示手段と、前記表示手段に特定の前記判別結果を示すための前記識別情報が停止表示された場合に特典を付与可能な特典付与手段と、前記特典が付与され易い第１遊技状態と、その第１遊技状態よりも前記特典が付与され難い第２遊技状態と、を設定可能な遊技状態設定手段と、演出を実行可能な演出実行手段と、その演出実行手段により特定の演出が実行される特定期間を設定する特定期間設定手段と、を有し、前記演出実行手段は、前記特定の演出の実行中に、前記第１遊技状態が設定されていることを示す示唆演出を実行可能なものであり、前記示唆演出は、前記特定期間が設定されている状態で、前記判別に基づいた判別遊技が行われている場合に実行され得るものであり、前記特定期間が設定されていない状態、または、前記特定期間が設定されている状態で前記判別遊技が行われていない場合には、実行されないものであり、前記遊技機は、前記特定期間が実行されている期間に特定の判別結果を示すための前記識別情報で停止表示される動的表示が開始された場合に、その動的表示における識別情報が停止表示されるまで特定期間を継続して設定した後に、特定期間を終了させることが可能な手段を有するものであるので、興趣を向上することができるという効果がある。
【手続補正５】
【補正対象書類名】明細書
【補正対象項目名】００１２
【補正方法】変更
【補正の内容】
【００１２】
請求項２記載の遊技機によれば、請求項１記載の遊技機の奏する効果に加え、次の効果を奏する。即ち、前記表示手段は、液晶ディスプレイで構成されているものである。よって、多様な表示態様を表示できるという効果がある。
【手続補正書】
【提出日】令和1年8月1日(2019.8.1)
【手続補正１】
【補正対象書類名】明細書
【補正対象項目名】００６８
【補正方法】変更
【補正の内容】
【００６８】
比較例及び実施例に係るハニカム構造体の隔壁特性を表２に示す。平均孔深さ、最大孔深さ及び平均円相当孔径は先述した測定方法に従って、レーザー顕微鏡により測定した。また、気孔率及び平均細孔径は先述した測定方法に従って、水銀ポロシメータを用いて測定した。
【手続補正２】
【補正対象書類名】明細書
【補正対象項目名】００７０
【補正方法】変更
【補正の内容】
【００７０】
上記の製造手順で得られた比較例及び実施例に係るハニカム構造体を、１．４ＬのＥＵＲＯ６規制適合ＧＤＩエンジンを搭載した車両の排気系統に取り付けて、排ガス用フィルタとして使用した。プレコンディショニング期間として、ＥＵＤＣ（Ｅｘｔｒａ  Ｕｒｂａｎ  Ｄｒｉｖｉｎｇ  Ｃｙｃｌｅ）の走行モードを３サイクル行った後、ＲＤＥ走行のワーストを模擬した走行モード（ＲＴＳ９５）を実施した。ＲＤＥ走行のワーストを模擬した走行モードを実施中、フィルタ前後のＰＮ（Ｐａｒｔｉｃｕｌａｔｅ  Ｎｕｍｂｅｒ）量を東京ダイレック製の粒子個数機で測定し、フィルタの捕集効率を計算した。捕集効率の測定は２回実施し、その平均値を求めた。結果を表３に示す。
【手続補正書】
【提出日】令和1年5月28日(2019.5.28)
【手続補正１】
【補正対象書類名】特許請求の範囲
【補正対象項目名】請求項１
【補正方法】変更
【補正の内容】
【請求項１】
軸方向に延びて回転可能に支持されたロータシャフトと、前記ロータシャフトの径方向外側に取り付けられて前記軸方向に間隔をあけて径方向の流路が形成された回転子鉄心とを有する回転子と、
前記回転子鉄心の径方向外側に設けられ前記軸方向に間隔をあけて径方向の流路が形成された円筒状の固定子鉄心と、前記固定子鉄心の内部を前記軸方向に貫通し前記固定子鉄心の前記軸方向の外側部分がそれぞれ結線される固定子巻線とを有する固定子と、
前記固定子の径方向の外側に配されて前記回転子鉄心と前記固定子を収納するフレームと、
前記回転子鉄心を挟んで前記軸方向の前記ロータシャフトの両側のそれぞれで前記ロータシャフトを支持する２つの軸受と、
前記２つの軸受をそれぞれ固定支持し前記フレームの前記軸方向の端部に接続し、前記フレームとともに閉空間を形成する２つの軸受ブラケットと、
前記固定子鉄心の軸方向端部とともに前記閉空間の一部を分割して前記固定子巻線の結線部をそれぞれ収納し内側第１空間および内側第２空間をそれぞれ形成する第１の仕切り板および第２の仕切り板と、
を備える回転電機であって、
冷却された冷却用気体を前記閉空間に受け入れる給気口が形成され、
前記給気口から前記内側第１空間および内側第２空間のそれぞれに至る連通用の流路が形成されており、
前記冷却用気体を前記閉空間から排出するための排出口が形成されている、
ことを特徴とする回転電機。
【手続補正２】
【補正対象書類名】特許請求の範囲
【補正対象項目名】請求項２
【補正方法】変更
【補正の内容】
【請求項２】
前記連通用の流路として、給気連通管を有することを特徴とする請求項１に記載の回転電機。
【手続補正３】
【補正対象書類名】明細書
【補正対象項目名】０００７
【補正方法】変更
【補正の内容】
【０００７】
上述の目的を達成するため、本発明は、軸方向に延びて回転可能に支持されたロータシャフトと、前記ロータシャフトの径方向外側に取り付けられて前記軸方向に間隔をあけて径方向の流路が形成された回転子鉄心とを有する回転子と、前記回転子鉄心の径方向外側に設けられ前記軸方向に間隔をあけて径方向の流路が形成された円筒状の固定子鉄心と、前記固定子鉄心の内部を前記軸方向に貫通し前記固定子鉄心の前記軸方向の外側部分がそれぞれ結線される固定子巻線とを有する固定子と、前記固定子の径方向の外側に配されて前記回転子鉄心と前記固定子を収納するフレームと、前記回転子鉄心を挟んで前記軸方向の前記ロータシャフトの両側のそれぞれで前記ロータシャフトを支持する２つの軸受と、前記２つの軸受をそれぞれ固定支持し前記フレームの前記軸方向の端部に接続し、前記フレームとともに閉空間を形成する２つの軸受ブラケットと、前記固定子鉄心の軸方向端部とともに前記閉空間の一部を分割して前記固定子巻線の結線部をそれぞれ収納し内側第１空間および内側第２空間をそれぞれ形成する第１の仕切り板および第２の仕切り板と、を備える回転電機であって、冷却された冷却用気体を前記閉空間に受け入れる給気口が形成され、前記給気口から前記内側第１空間および内側第２空間のそれぞれに至る連通用の流路が形成されており、前記冷却用気体を前記閉空間から排出するための排出口が形成されている、ことを特徴とする。
【手続補正４】
【補正対象書類名】明細書
【補正対象項目名】００３６
【補正方法】変更
【補正の内容】
【００３６】
次に、本実施形態による回転電機システム２００における冷却用気体の流れを説明する。図１中の破線の矢印は、冷却用気体の流れ方向を示す。
【手続補正５】
【補正対象書類名】明細書
【補正対象項目名】００４９
【補正方法】変更
【補正の内容】
【００４９】
図３は、回転電機内の冷却に係る部分の構成を示す縦断面図である。図３中の破線矢印は、冷却用気体の流れ方向を示す。なお、給気口が形成されている接続構造１１０については図４を用いて後に説明する。
【手続補正６】
【補正対象書類名】明細書
【補正対象項目名】００５０
【補正方法】変更
【補正の内容】
【００５０】
ロータシャフト１１には、ロータシャフト１１の内部の軸中心の位置に、反結合側の端部からロータシャフト１１の途中まで軸方向に延びた軸方向流路１２が形成されている。軸方向流路１２からは、複数の流路が分岐している。具体的には、軸方向流路１２から内側第１空間４７ａに連通する少なくとも一つの第１分岐流路１３ａ、軸方向流路１２から内側第２空間４７ｂに連通する少なくとも一つの第２分岐流路１３ｂ、および軸方向流路１２から回転子鉄心内ダクト１６に連通する中央分岐流路１３ｃが形成されている。
【手続補正７】
【補正対象書類名】明細書
【補正対象項目名】００５１
【補正方法】変更
【補正の内容】
【００５１】
中央分岐流路１３ｃは、軸方向に複数個所の回転子鉄心内ダクト１６が設けられている軸方向位置に対応して設けられている。
【手続補正８】
【補正対象書類名】明細書
【補正対象項目名】００５８
【補正方法】変更
【補正の内容】
【００５８】
第２分岐流路１３ｂに流入した冷却用気体は、ロータシャフト１１から内側第２空間４７ｂ内に流出する。内側第２空間４７ｂ内に流出した冷却用気体は、回転子巻線１７の結合側の結線部１７ｂおよび固定子巻線２２の結合側の結線部２２ｂを冷却しながら内側第２空間４７ｂを通過し、空隙１８に流入する。
【手続補正書】
【提出日】令和1年5月28日(2019.5.28)
【手続補正１】
【補正対象書類名】特許請求の範囲
【補正対象項目名】請求項２
【補正方法】変更
【補正の内容】
【請求項２】
前記間隙形成部は、それぞれが、前記積層構造の開口の径方向位置またはそれより径方向に外側の位置から、前記電磁鋼板の外周よりも径方向に外側の位置まで径方向に延びて周方向に互いに間隔をおいて配された複数の間隔片を有することを特徴とする請求項１に記載の回転電機。
【手続補正２】
【補正対象書類名】明細書
【補正対象項目名】００３６
【補正方法】変更
【補正の内容】
【００３６】
それぞれの間隔片１１１の径方向外側部分の第１の端部１１１ａは、環状部１２１の環状部開口１２１ａの縁部に接続されている。また、間隔片１１１の径方向内側部分の第２の端部１１１ｂは、電磁鋼板２２の歯部２６ａが形成されている径方向位置またはそれより径方向外側位置にある。間隔片１１１は、第２の端部１１１ｂ側が、スロット部２５ａ側に突出しないような寸法に形成されている。
【手続補正３】
【補正対象書類名】明細書
【補正対象項目名】００４３
【補正方法】変更
【補正の内容】
【００４３】
実線矢印Ａ１は、軸方向には間隙２４の位置のある周角度位置で、空隙１８側から固定子鉄心２１側の互いに隣接する間隔片１１１の間に流入する流れを示す。破線矢印Ａ２は、互いに隣接する間隔片１１１の間を径方向外側の積層構造外側流路４０ｂに向かって流れる流れを示す。破線矢印Ａ２の流れは、軸方向には互いに隣接する積層構造２３の間であって、周方向には互いに隣接する間隔片１１１の間のほぼ矩形の断面形状で径方向外側に行くに従って周方向の幅が拡がる流路内の流れである。
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
薬剤シートの薬剤収容ポケット部から取り出された薬剤を落下させる薬剤落下用開口部と、上記薬剤落下用開口部上で薬剤収容ポケット部を押圧するポケット押圧部と、上記薬剤収容ポケット部を押圧する際に、上記薬剤落下用開口部の両側に位置する上記薬剤シートの部位を押さえて固定するシート固定部と、を備えたことを特徴とする薬剤取出装置。
【請求項２】
請求項１に記載の薬剤取出装置において、上記シート固定部はシート押圧部材を備えており、このシート押圧部材は、上記薬剤シートを複数箇所の点圧接によって押さえることを特徴とする薬剤取出装置。
【請求項３】
薬剤シートの薬剤収容ポケット部から取り出された薬剤を落下させる薬剤落下用開口部と、上記薬剤落下用開口部上で薬剤収容ポケット部を押圧するポケット押圧部と、を備える薬剤取出装置による薬剤取出方法であって、上記薬剤収容ポケット部を押圧する際に、上記薬剤落下用開口部の両側に位置する上記薬剤シートの部位を押さえて固定することを特徴とする薬剤取出方法。
【手続補正２】
【補正対象書類名】明細書
【補正対象項目名】発明の名称
【補正方法】変更
【補正の内容】
【発明の名称】薬剤取出装置および薬剤取出方法
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
所定の始動条件が満たされたことに基づいて判定を行う判定手段と、
前記判定手段の判定結果が特別の結果であることに基づいて遊技者に対して利益を付与する利益付与手段と、
遊技者により操作される操作部と、
演出表示が行われ、前記操作部を用いた演出が行われる場合に前記操作部を模した模画像が表示されうる演出表示手段と、
前記演出表示手段において前記操作部を模した模画像が第一表示態様で１つ表示される第一演出状況と、前記演出表示手段において前記操作部を模した模画像が前記第一表示態様とは異なる第二表示態様で複数表示される第二演出状況とが現れうるように演出表示する特定画像表示手段と、
前記操作部を模した模画像が前記第一表示態様で１つ表示される第一演出状況においては操作機会が付与される操作待ち演出が実行可能とされ、該操作待ち演出の実行中に遊技者による前記操作部の操作が行われると、該操作に基づいて期待度が示唆される操作後演出を実行可能な特定演出手段と、を備え、
前記操作部を模した模画像が前記第二表示態様で複数表示される第二演出状況は、前記操作待ち演出が実行されていないときに現れうるものであり、当該第二演出状況において複数表示される前記操作部を模した模画像は、前記演出表示手段の表示領域内を移動するように表示されうるようになっており、
前記特定画像表示手段は、
前記第二演出状況が現れる演出表示を実行してからこれに続くかたちで前記第一演出状況が現れる演出表示を実行可能であり、
前記第二演出状況において表示される複数の前記操作部を模した模画像は前記演出表示手段の特定領域に対して異なる方位から移動表示され、
前記第一演出状況における操作機会の付与は、前記第二演出状況において表示されていた複数の前記操作部を模した模画像が非表示とされて前記操作部を模した模画像が１つ表示される状況とされたときには行われている
ことを特徴とする遊技機。
【手続補正２】
【補正対象書類名】明細書
【補正対象項目名】０００９
【補正方法】変更
【補正の内容】
【０００９】
手段１：所定の始動条件が満たされたことに基づいて判定を行う判定手段と、
前記判定手段の判定結果が特別の結果であることに基づいて遊技者に対して利益を付与する利益付与手段と、
遊技者により操作される操作部と、
演出表示が行われ、前記操作部を用いた演出が行われる場合に前記操作部を模した模画像が表示されうる演出表示手段と、
前記演出表示手段において前記操作部を模した模画像が第一表示態様で１つ表示される第一演出状況と、前記演出表示手段において前記操作部を模した模画像が前記第一表示態様とは異なる第二表示態様で複数表示される第二演出状況とが現れうるように演出表示する特定画像表示手段と、
前記操作部を模した模画像が前記第一表示態様で１つ表示される第一演出状況においては操作機会が付与される操作待ち演出が実行可能とされ、該操作待ち演出の実行中に遊技者による前記操作部の操作が行われると、該操作に基づいて期待度が示唆される操作後演出を実行可能な特定演出手段と、を備え、
前記操作部を模した模画像が前記第二表示態様で複数表示される第二演出状況は、前記操作待ち演出が実行されていないときに現れうるものであり、当該第二演出状況において複数表示される前記操作部を模した模画像は、前記演出表示手段の表示領域内を移動するように表示されうるようになっており、
前記特定画像表示手段は、
前記第二演出状況が現れる演出表示を実行してからこれに続くかたちで前記第一演出状況が現れる演出表示を実行可能であり、
前記第二演出状況において表示される複数の前記操作部を模した模画像は前記演出表示手段の特定領域に対して異なる方位から移動表示され、
前記第一演出状況における操作機会の付与は、前記第二演出状況において表示されていた複数の前記操作部を模した模画像が非表示とされて前記操作部を模した模画像が１つ表示される状況とされたときには行われている
ことを特徴とする遊技機。